【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
変形被覆部と、
変形被覆部に隣接する中央部と、
中央部に隣接する接続部と、
緩衝体の一部の周囲に形成される折返し部とを備え、
緩衝体は、頂部領域と、頂部領域から延伸する一対の側部領域と、一対の側部領域の間で相互接続される底部領域とを有し、折返し部は、緩衝体の底部領域及び少なくとも側部領域の周囲に継続して延伸し、折返し部は、緩衝体の頂部領域の周囲に不連続的に延伸し、緩衝体の頂部領域は、２つの頂部折返し部を備え、各頂部折返し部は、側部折返し部に対応する隣接部に各々接続され、複数の頂部折返し部は、相互接続されないことを特徴とする呼吸マスクに使用される緩衝体。
【請求項２】
変形被覆部は、一定の長さを有する開口頂端部と、
一定の長さを有する一対の開口側端部と、
一定の長さを有する開口底端部とを備える請求項１に記載の緩衝体。
【請求項３】
開口頂端部の長さは、開口底端部の長さより長い請求項２に記載の緩衝体。
【請求項４】
変形被覆部は、一定の厚さを有し、中央部は、一定の厚さを有し、接続部は、一定の厚さを有する請求項１に記載の緩衝体。
【請求項５】
変形被覆部の厚さは、接続部の厚さより薄い請求項４に記載の緩衝体。
【請求項６】
導管に接続される連結部を有する殻と、
殻に連結される緩衝体とを備え、
緩衝体は、
変形被覆部と、
変形被覆部に隣接する中央部と、
中央部に隣接する接続部と、
変形被覆部に近接する緩衝体の一部の周囲に形成される折返し部とを備え、緩衝体は、頂部領域と、頂部領域から延伸する一対の側部領域と、一対の側部領域の間で相互接続される底部領域とを有し、折返し部は、緩衝体の底部領域及び側部領域の周囲に継続して延伸し、折返し部は、緩衝体の頂部領域の周囲に非連続的に延伸し、緩衝体の頂部領域は、２つの頂部折返し部を有し、各頂部折返し部は、側部折返し部に対応する隣接部に各々接続され、複数の頂部折返し部は、相互接続されないことを特徴とする導管を通じて使用者に気体を供給するのに使用される呼吸マスク。
【請求項７】
変形被覆部は、
一定の長さを有する開口頂端部と、
一定の長さを有する一対の開口側端部と、
一定の長さを有する開口底端部とを備える請求項６に記載の緩衝体。
【請求項８】
開口頂端部の長さは、開口底端部の長さより長い請求項７に記載の緩衝体。
【請求項９】
変形被覆部は、一定の厚さを有し、中央部は、一定の厚さを有し、接続部は、一定の厚さを有する請求項９に記載の緩衝体。
【請求項１０】
変形被覆部の厚さは、接続部の厚さより薄い請求項９に記載の緩衝体。
【請求項１１】
頂部領域と、頂部領域から各々延伸する第１の側部領域及び第２の側部領域と、第１の側部領域と第２の側部領域の間に配置される底部領域とを備え、
更に、変形被覆部と、
変形被覆部に隣接する中央部と、
中央部に隣接する接続部と、
緩衝体の周囲に形成される折返し部とを備え、折返し部は、第１の側部領域に沿って延伸する第１の側部折返し部と、第２の側部領域に沿って延伸する第２の側部折返し部と、第１の側部折返し部に隣接する第１の頂部折返し部と、第２の側部折返し部に隣接する第２の頂部折返し部とを有し、第１及び第２の頂部折返し部の各々は、頂部領域に沿って延伸し、互いに相互接続されないことを特徴とする患者界面体用緩衝体。
【請求項１２】
第１の頂部折返し部は、第１の側部折返し部の隣接部から継続的に延伸し、第２の頂部折返し部は、第２の側部折返し部の隣接部から継続的に延伸する請求項１１に記載の患者界面体用緩衝体。
【請求項１３】
折返し部は、底部折返し部を有する請求項１１に記載の患者界面体用緩衝体。
【請求項１４】
底部折返し部の両端は、第１側部折返し部と第２の側部折返し部との間に各々接続される請求項１３に記載の患者界面体用緩衝体。
【請求項１５】
折返し部の近接領域の少なくとも一部と折返し部との間の界面体は、非線形である請求項１１に記載の患者界面体用緩衝体。
【請求項１６】
折返し部は、内側に延伸する請求項１１に記載の患者界面体用緩衝体。
【請求項１７】
折返し部の頂部領域の少なくとも一部の深さは、折返し部の第１の側部領域又は第２の側部領域の少なくとも一部よりも浅い請求項１１に記載の患者界面体用緩衝体。
【請求項１８】
折返し部の少なくとも一部は、実質的に矩形断面を有する請求項１１に記載の患者界面体用緩衝体。
【請求項１９】
折返し部の少なくとも一部は、実質的に鋸歯状断面を有する請求項１１に記載の患者界面体用緩衝体。
【請求項２０】
変形被覆部に隣接して折返し部を配置した請求項１１に記載の患者界面体用緩衝体。
【請求項２１】
第１及び第２の側部折返し部は、変形被覆部と実質的に平行である請求項２０に記載の患者界面体用緩衝体。
【請求項２２】
第１の頂部折返し部と第２の頂部折返し部の各先端を接続部に向ける請求項２１に記載の患者界面体用緩衝体。
【請求項２３】
緩衝体の中央部内に折返し部を形成した請求項１１に記載の患者界面体用緩衝体。
【請求項２４】
変形被覆部は、一定の長さを有する開口頂端部と、一定の長さを有する開口環状部とを有し、開口頂端部の長さは、開口環状部の長さより長い請求項１１に記載の患者界面体用緩衝体。
【請求項２５】
変形被覆部は、開口頂端部と開口環状部とを相互接続する少なくとも片方の開口側端部を有する請求項２４に記載の患者界面体用緩衝体。
【請求項２６】
緩衝体と、
殻と、
緩衝体及び殻を相互接続する保持リングとを備え、
緩衝体は、頂部領域と、頂部領域から各々延伸する第１の側部領域及び第２の側部領域と、第１の側部領域と第２の側部領域の間に配置される底部領域とを備え、
更に、緩衝体は、変形被覆部と、
変形被覆部に隣接する中央部と、
中央部に隣接する接続部と、
緩衝体の周囲に形成される折返し部とを備え、折返し部は、第１の側部領域に沿って延伸する第１の側部折返し部と、第２の側部領域に沿って延伸する第２の側部折返し部と、第１の側部折返し部から延伸する第１の頂部折返し部と、第２の側部折返し部から延伸する第２の頂部折返し部とを有し、第１の頂部折返し部と第２の頂部折返し部とは、互いに相互接続されないことを特徴とする患者界面体。
【請求項２７】
患者界面体は、殻から延伸するフレームを有する請求項２６に記載の患者界面体。
【請求項２８】
患者界面体は、額当てを支持する剛性のある基礎部を有する請求項２６に記載の患者界面体。
【請求項２９】
患者界面体は、剛性のある基礎部から延伸する複数の耳部と、殻に接続される装着口とを更に有する請求項２６に記載の患者界面体。
【請求項３０】
接続部は、襟部を有する請求項２６に記載の患者界面体。
【請求項３１】
陽圧発生装置と、
陽圧発生装置に接続される導管と、
導管に接続される患者界面体とを備え、
患者界面体は、緩衝体と、殻と、緩衝体及び殻を相互接続する保持リングとを備え、緩衝体は、頂部領域と、頂部領域から各々延伸する第１の側部領域及び第２の側部領域と、第１及び第２の側部領域の間に配置される底部領域とを備え、
更に、緩衝体は、
変形被覆部と、
変形被覆部に隣接する中央部と、
中央部に隣接する接続部と、
緩衝体の一部分の周囲に形成される折返し部とを備え、折返し部は、第１の側部領域に沿って延伸する第１の側部折返し部と、第２の側部領域に沿って延伸する第２の側部折返し部と、第１の側部折返し部から延伸する第１の頂部折返し部と、第２の側部折返し部から延伸する第２の頂部折返し部とを有し、第１の頂部折返し部と第２の頂部折返し部とは、互いに相互接続されないことを特徴とする装置。
【請求項３２】
頂部領域と、頂部領域から各々延伸する第１の側部領域及び第２の側部領域と、第１及び第２の側部領域の間に配置される底部領域とを備え、
更に、変形被覆部と、
変形被覆部に隣接する中央部と、
中央部に隣接する接続部と、
緩衝体の周囲に形成される折返し部とを備え、折返し部は、折返し部の周辺隣接部よりも浅い領域を含むことを特徴とする緩衝体。
【請求項３３】
折返し部の周辺隣接部よりも浅い領域は、第１の側部領域と第２の側部領域の内側である請求項３２に記載の緩衝体。
【請求項３４】
折返し部の周辺隣接部より浅い領域は、頂部領域の内側である請求項３２に記載の緩衝体。
【請求項３５】
折返し部の周辺隣接部より浅い領域は、第１の側部領域と第２の側部領域並びに頂部領域の内側である請求項３２に記載の緩衝体。
【請求項３６】
折返し部は、互いに離間して配置される第１及び第２の頂部折返し部を有する請求項３２に記載の緩衝体。
【請求項３７】
底部折返し部は、第１の側部折返し部と第２の側部折返し部とを相互接続する請求項３６に記載の緩衝体。
【請求項３８】
折返し部と折返し部の近接領域の少なくとも一部との間の界面体は、非線形である請求項３２に記載の緩衝体。
【請求項３９】
折返し部は、内側に延伸する請求項３２に記載の緩衝体。
【請求項４０】
折返し部の少なくとも一部は、実質的に矩形断面を有する請求項３２に記載の緩衝体。
【請求項４１】
折返し部の少なくとも一部は、実質的に鋸歯状断面を有する請求項３２に記載の緩衝体。
【請求項４２】
折返し部は、変形被覆部に隣接する請求項３２に記載の緩衝体。
【請求項４３】
変形被覆部に実質的に平行に折返し部を配置した実質的に請求項３２に記載の緩衝体。
【請求項４４】
第１の頂部折返し部又は第２の頂部折返し部の少なくとも一部を接続部に向ける請求項４３に記載の緩衝体。
【請求項４５】
変形被覆部は、一定の長さを有する開口頂端部と、一定の長さを有する開口環状部とを有し、開口頂端部の長さは、開口環状部の長さより長い請求項３２に記載の緩衝体。
【請求項４６】
変形被覆部は、開口頂端部と開口環状部とを相互接続する少なくとも片方の開口側端部を有する請求項４５に記載の緩衝体。
【請求項４７】
頂部領域と、頂部領域から各々延伸する第１の側部領域及び第２の側部領域と、第１の側部領域と第２の側部領域との間に配置される底部領域とを備え、
更に、変形被覆部と、
変形被覆部に隣接する中央部と、
中央部に隣接する接続部とを備え、
第１の側部領域に沿って延伸する第１の側部折返し部と、第２の側部領域に沿って延伸する第２の側部折返し部と、第１の側部折返し部から延伸する第１の頂部折返し部と、第２の側部折返し部から延伸する第２の頂部折返し部とを有し、第１及び第２の頂部折返し部は、互いに相互接続されないことを特徴とする患者界面体用緩衝体。
【請求項４８】
第１の頂部折返し部は、第１の側部折返し部の隣接部から継続的に延伸し、第２の頂部折返し部は、第２の側部折返し部の隣接部から継続的に延伸する請求項４７に記載の患者界面体用緩衝体。
【請求項４９】
変形被覆部は、一定の長さを有する開口頂端部と、一定の長さを有する開口環状部とを有し、開口頂端部の長さは、開口環状部の長さより長い請求項４７に記載の患者界面体用緩衝体。
【請求項５０】
変形被覆部は、開口頂端部と開口環状部とを相互接続する少なくとも片方の開口側端部を有する請求項４９に記載の患者界面体用緩衝体。